(57)【要約】【課題】  本発明は、輪郭強調箇所の視認性を向上することが可能な画像処理装置を提供することを目的とする。【解決手段】  本発明に係る画像処理装置１００は、入力画像の輪郭成分に所定の強調処理を施して輪郭強調画像を生成し、輪郭強調画像を表示手段２００に出力する処理手段１４０と、前記表示手段に光を照射する発光手段３００の発光量を、入力画像に基づいて制御する制御手段１２０とを備え、制御手段１２０は、入力画像に輪郭成分が含まれる場合に、発光量が所定の値ＰＬ以上になるように制御することを特徴とする。【選択図】  図１
2016218146.tif 000002
【特許請求の範囲】
【請求項１】
入力画像の輪郭成分に所定の強調処理を施して輪郭強調画像を生成し、前記輪郭強調画像を表示手段に出力する処理手段と、
前記表示手段に光を照射する発光手段の発光量を、前記入力画像に基づいて制御する制御手段とを備え、
前記制御手段は、前記入力画像に輪郭成分が含まれる場合に、前記発光量が所定の値以上になるように制御することを特徴とする画像処理装置。
【請求項２】
前記表示手段に光を照射する前記発光手段を複数備え、
前記複数の発光手段に前記入力画像の複数の領域が対応し、
前記制御手段は、前記入力画像の輪郭成分が含まれる領域に対応する発光手段の発光量が所定の値以上になるように制御することを特徴とする請求項１に記載の画像処理装置。
【請求項３】
前記制御手段は、前記輪郭成分を含む前記入力画像を用いて決定された前記発光量が、前記所定の値よりも小さい場合に、前記発光量を前記所定の値に制御することを特徴とする請求項１または請求項２に記載の画像処理装置。
【請求項４】
前記入力画像の輝度特性に対して所定の値以上の発光量が関連付けられた第１制御情報と、前記入力画像の輝度特性に対して所定の値よりも小さい発光量を含む発光量が関連付けられた第２制御情報とを記憶する記憶手段をさらに備え、
前記制御手段は、前記入力画像に前記輪郭成分が含まれる場合に、前記発光量を、前記第２制御情報を用いて制御し、前記入力画像に前記輪郭成分が含まれない場合に、前記発光量を、前記第１制御情報を用いて制御することを特徴とする請求項１または請求項２に記載の画像処理装置。
【請求項５】
前記表示手段の周辺の外光の輝度に応じて、前記所定の値が決定されることを特徴とする請求項１乃至請求項４のいずれか１項に記載の画像処理装置。
【請求項６】
入力画像の輪郭成分に所定の強調処理を施し輪郭強調画像を生成する処理手段と、
前記処理手段が前記強調処理を実行するか否かを選択する選択手段と、
前記輪郭強調画像に基づいて画像を表示する表示手段に光を照射する発光手段の発光量を、前記入力画像に基づいて制御する制御手段とを備え、
前記制御手段は、前記選択手段が前記強調処理を実行すると選択している場合に、前記発光手段の前記発光量が所定の値以上になるように制御することを特徴とする画像処理装置。
【請求項７】
前記表示手段と、前記発光手段と、請求項１乃至請求項６のいずれか１項に記載の画像処理装置とを備える表示装置。
【請求項８】
入力画像の輪郭成分に所定の強調処理を施して輪郭強調画像を生成し、前記輪郭強調画像を表示手段に出力する処理工程と、
前記表示手段に光を照射する発光手段の発光量を、前記入力画像に基づいて制御する制御工程とを備え、
前記制御工程では、前記入力画像に輪郭成分が含まれる場合に、前記発光量が所定の値以上になるように制御することを特徴とする画像処理装置の制御方法。
【請求項９】
前記表示手段に光を照射する複数の発光手段に前記入力画像の複数の領域が対応し、
前記制御工程では、前記輪郭成分が含まれる前記入力画像の領域に対応する発光手段の発光量を所定の値以上に制御することを特徴とする請求項８に記載の画像処理装置の制御方法。
【請求項１０】
前記制御工程では、前記輪郭成分を含む前記入力画像を用いて決定された前記発光量が、前記所定の値よりも小さい場合に、前記発光量を前記所定の値に制御することを特徴とする請求項８または請求項９に記載の画像処理装置。
【請求項１１】
前記入力画像の輝度特性に対して所定の値以上の発光量が関連付けられた第１制御情報と、前記入力画像の輝度特性に対して所定の値より小さい発光量を含む発光量が関連付けられた第２制御情報とを有し、
前記制御工程では、前記入力画像に前記輪郭成分が含まれる場合に、前記発光量を、前記第２制御情報を用いて制御し、前記入力画像に前記輪郭成分が含まれない場合に、前記発光量を、前記第１制御情報を用いて制御することを特徴とする請求項８または請求項９に記載の画像処理装置。
【請求項１２】
前記表示手段の周辺の外光の輝度に応じて、前記所定の値が決定されることを特徴とする請求項８乃至請求項１１のいずれか１項に記載の画像処理装置。
【請求項１３】
入力画像の輪郭成分に所定の強調処理を施し輪郭強調画像を生成する処理工程と、
前記処理工程で前記強調処理を実行するか否かを選択する選択工程と、
前記輪郭強調画像に基づいて画像を表示する表示手段に光を照射する発光手段の発光量を、前記入力画像に基づいて制御する制御工程とを備え、
前記制御工程では、前記選択工程で前記強調処理を実行すると選択している場合に、前記発光手段の前記発光量が所定の値以上になるように制御することを特徴とする画像処理装置。
【請求項１４】
請求項８乃至請求項１３のいずれかの画像処理装置の制御方法の各工程をコンピュータに実行させるためのプログラム。
【発明の詳細な説明】
【技術分野】
【０００１】
本発明は、画像処理装置およびその制御方法に関する。
【背景技術】
【０００２】
撮影中の撮影画像を表示装置で確認しながら、撮影画像の輪郭成分を強調した輪郭強調表示を行うことによって、フォーカスを合わせるアシストをすることがある。
【０００３】
特許文献１に記載の表示装置には、入力画像から輪郭成分を抽出し、輪郭強調処理を行う方法が開示されている。
【先行技術文献】
【特許文献】
【０００４】
【特許文献１】特開２０１３‐２０６０３９号公報
【発明の概要】
【発明が解決しようとする課題】
【０００５】
入力画像の輝度特性に応じてバックライトの発光量を制御する表示装置において、入力画像の輝度が低い画像に対して、バックライトの発光量が低く設定されることがある。そのため、従来の技術では、入力画像の輝度が低い画像に対して輪郭強調処理を行った場合に、輪郭強調箇所の表示輝度が低く、輪郭強調箇所が視認し辛いという課題があった。
【０００６】
そこで、本発明は、上記課題に鑑みて、輪郭強調箇所の視認性を向上することが可能な画像処理装置を提供することを目的とする。
【課題を解決するための手段】
【０００７】
上述した課題を解決するために、本発明に係る画像処理装置は、入力画像の輪郭成分に所定の強調処理を施して輪郭強調画像を生成し、前記輪郭強調画像を表示手段に出力する処理手段と、前記表示手段に光を照射する発光手段の発光量を、前記入力画像に基づいて制御する制御手段とを備え、前記制御手段は、前記入力画像に輪郭成分が含まれる場合に、前記発光量が所定の値以上になるように制御することを特徴とする。
【０００８】
また、本発明に係る画像処理装置は、入力画像の輪郭成分に所定の強調処理を施して輪郭強調画像を生成する処理手段と、前記処理手段が前記強調処理を実行するか否かを選択する選択手段と、前記輪郭強調画像に基づいて画像を表示する表示手段に光を照射する発光手段の発光量を、前記入力画像に基づいて制御する制御手段とを備え、前記制御手段は、前記選択手段が前記強調処理を実行すると選択している場合に、前記発光手段の前記発光量が所定の値以上になるように制御することを特徴とする。
【０００９】
さらに本発明に係る画像処理装置の制御方法は、入力画像の輪郭成分に所定の強調処理を施して輪郭強調画像を生成し、前記輪郭強調画像を表示手段に出力する処理工程と、前記表示手段に光を照射する発光手段の発光量を、前記入力画像に基づいて制御する制御工程とを備え、前記制御工程では、前記入力画像に輪郭成分が含まれる場合に、前記発光量が所定の値以上になるように制御することを特徴とする。
【００１０】
また、本発明に係る画像処理装置の制御方法は、入力画像の輪郭成分に所定の強調処理を施し輪郭強調画像を生成する処理工程と、前記処理手段が前記強調処理を実行するか否かを選択する選択工程と、前記輪郭強調画像に基づいて画像を表示する表示手段に光を照射する発光手段の発光量を、前記入力画像に基づいて制御する制御工程とを備え、前記制御工程では、前記選択手段が前記強調処理を実行すると選択している場合に、前記発光手段の前記発光量が所定の値以上になるように制御することを特徴とする。
【発明の効果】
【００１１】
本発明に係る画像処理装置によれば、入力画像の輝度特性が低い画像に対して輪郭強調処理を行った場合に、輪郭強調箇所に対応する発光手段の発光量を所定の値以上にすることが可能となる。
【００１２】
したがって、輪郭強調箇所の視認性を向上することが可能となる。
【図面の簡単な説明】
【００１３】
【図１】第１の実施例における表示装置１の機能ブロック図を示したブロック図である。
【図２】発光部３００の制御領域について図示した模式図である。
【図３】発光部３００の領域Ｂ１から領域Ｂ４に対応する、輪郭成分取得部１１０に入力された入力画像と、輪郭成分取得部１１０で取得された輪郭成分とを示した模式図である。
【図４】発光量制御部１２０の各機能ブロックを示したブロック図である。
【図５】発光量制御部１２０における、発光量制御処理のフローを示したフローチャートである。
【図６】第１の実施例における輝度特性ｘに関連付けられた発光量Ｌの値を示す関係図である。
【図７】発光部３００の領域Ｂ１から領域Ｂ４の発光量Ｌと、発光量補正部１２３により決定された発光量ＳＬとを示した模式図である。
【図８】領域Ｂ１から領域Ｂ４に対応する信号補正部１３０による伸長処理が施された補正画像の階調値を示した模式図である。
【図９】発光部３００の領域Ｂ１から領域Ｂ４に対応する、輪郭成分を用いて決められた強調処理の補正値と、入力画像に対して強調処理を施した輪郭強調画像の階調値を示した模式図である。
【図１０】表示部２００に表示された輪郭強調画像の表示輝度を示した模式図である。
【図１１】表示装置１近傍の照度と、所定の発光量ＰＬの設定値の例を示した模式図である。
【図１２】第２の実施例における発光量制御部２２０の機能ブロックを示すブロック図である。
【図１３】第２の実施例における発光量制御処理のフローを示すフローチャートである。
【図１４】第２の実施例における輝度特性ｘに関連付けられた発光量ｙ（ｘ）の値を示す関係図である。
【発明を実施するための形態】
【００１４】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の有機的な組合せを含む）が可能であり、それらを本発明の範囲から除外するものではない。即ち、各実施例及びその変形例を組み合わせた構成も全て本発明に含まれるものである。
【００１５】
（第１の実施例）
図１は、第１の実施例における表示装置１の機能ブロック図を示したブロック図である。表示装置１は、画像処理部１００、表示部２００、および発光部３００を備える。画像処理部１００は、入力画像に対して、輪郭強調処理を行い、輪郭強調画像を表示部２００に出力する。また、画像処理部１００は、入力画像の輝度特性を用いて、発光部３００の発光量を制御する。表示部２００は、液晶表示パネルのような透過型表示パネルであり、画像処理部１００から出力された輪郭強調画像に基づいて画像を表示する。本発明に係る画像処理装置は、画像処理部１００により構成される。
【００１６】
発光部３００は、表示部２００の背面側に配置され、表示部２００へ光を照射する。第１の実施例において、発光部３００は、複数の制御領域ごとに発光量を制御可能である。図２は、発光部３００の制御領域について示した模式図である。発光部３００は、垂直方向に３つ、水平方向に４つに分割されており、制御領域ごとに発光量を制御することが可能である。発光部３００の有する複数の制御領域は、上述の数よりも多くても少なくてもよい。
【００１７】
画像処理部１００は、輪郭成分取得部１１０、発光量制御部１２０、信号補正部１３０、および強調処理部１４０を備える。輪郭成分取得部１１０は、入力画像から輪郭成分を取得し、輪郭成分を発光量制御部１２０、および強調処理部１４０に出力する。図３（ａ）および図３（ｂ）は、図２斜線部で示した発光部３００の領域Ｂ１から領域Ｂ４における、輪郭成分取得部１１０に入力された入力画像と、輪郭成分取得部１１０で取得された輪郭成分とを示した模式図である。
【００１８】
図３（ａ）に示すように、入力画像の階調値は、領域Ｂ１から領域Ｂ４に向かって、低階調から高階調へシフトしている。領域Ｂ２と領域Ｂ４とは、急激に階調値が変化する輪郭箇所を含んでいる。輪郭成分取得部１１０は、入力画像に対して輪郭成分取得処理を行う。具体的には、入力画像の階調値に対して、空間的な高周波成分を通過させる高域通過処理や、微分処理等の処理を行う。入力画像が８ビットの場合、入力画像の階調範囲は０〜２５５である。
【００１９】
図３（ｂ）は、図３（ａ）で示した入力画像の階調値に対して、微分処理によって取得した輪郭成分を示した模式図である。図３（ｂ）に示すように、領域Ｂ２および領域Ｂ４の輪郭箇所に対応して、輪郭成分が取得されている。また、輪郭成分取得処理に際して、画像に含まれる細かなノイズ等から輪郭成分が検出されることがあるが、これらはノイズフィルタ等により除去される。
【００２０】
図４は、発光量制御部１２０の各機能ブロックを示したブロック図である。発光量制御部１２０は、輝度特性取得部１２１、発光量算出部１２２、発光量補正部１２３、およびメモリ１２４を備える。また、図５は、発光量制御部１２０における、発光量制御処理のフローを示したフローチャートである。発光量制御部１２０は、発光部３００の制御領域それぞれに対して、入力画像と輪郭成分とを用いて発光量設定値ＳＬを決定し、発光部３００に出力する。
【００２１】
輝度特性取得部１２１は、発光部３００の複数の制御領域に対応する、入力画像の複数の領域ごとに輝度特性ｘを取得する（Ｓ２０１）。第１の実施例では、輝度特性ｘとして、入力画像の複数の領域ごとに、最大階調値を取得する。輝度特性ｘは、最大階調値だけでなく、平均階調値等、階調値に対して統計処理を施して得られた値とすることも可能である。輝度特性取得部１２１で得られた輝度特性ｘは、発光量算出部１２２に出力される。
【００２２】
発光量算出部１２２は、輝度特性取得部１２１で取得された、入力画像の複数の領域それぞれの輝度特性ｘと、メモリ１２４から取得された制御情報ｆ（ｘ）とに基づいて、発光部３００の各制御領域の発光量Ｌを算出する（Ｓ２０２）。図６は、輝度特性ｘに関連付けられた発光量Ｌの値を示す関係図である。発光量Ｌは、発光部３００が設定可能な最大の発光量を１００％としている。
【００２３】
第１の実施例では、図６に示すように、制御情報は、輝度特性ｘに対して発光量Ｌが線形に変化するＬ＝ｆ（ｘ）となる関数で表現される。ただし、制御情報は、輝度特性ｘに対して線形に変化する関数でなく、輝度特性ｘに対してステップ状に変化する発光量Ｌを示す情報であってもよい。発光量算出部１２２は、制御情報Ｌ＝ｆ（ｘ）に基づいて、輝度特性ｘから、発光部３００の制御領域ごとに発光量Ｌを算出する。
【００２４】
発光量補正部１２３は、取得した輪郭成分を用いて、入力画像の複数の領域ごとに、輪郭成分を検出する（Ｓ２０３）。発光量補正部１２３は、輪郭成分取得部１１０より、輪郭成分を取得する。発光量補正部１２３は、入力画像の複数の領域ごとに、輪郭成分が所定の検出閾値より大きい画素を含むか否かを検出する。輪郭成分が所定の検出閾値より大きい画素を含む場合、当該領域を輪郭領域と判定する（Ｓ２０３  Ｙｅｓ）。第１の実施例では所定の検出閾値を０とする。つまり、０より大きい輪郭成分を含む領域を輪郭領域と判定する。
【００２５】
輪郭成分が所定の検出閾値より大きい画素を含まない場合、発光量補正部１２３は、当該領域を輪郭領域としない（Ｓ２０３  Ｎｏ）。この場合、発光量補正部１２３は、輪郭領域とされない領域に対応する発光部３００の制御領域の発光量Ｌに対して補正を行わない（Ｓ２０６）。したがって、輪郭領域とされない領域に対応する発光部３００の制御領域の発光量設定値ＳＬは、当該制御領域の発光量Ｌとする。輪郭領域の判定方法は、上述した方法には限られず、入力画像の複数の領域それぞれの輪郭成分の最大値や平均値、もしくは輪郭成分を有する画素の数の総数等によって判定することも可能である。
【００２６】
輪郭領域と判定された場合（Ｓ２０３  Ｙｅｓ）、発光量補正部１２３は、メモリ１２４で取得した所定の発光量ＰＬと、当該輪郭領域に対応する発光部３００の制御領域の発光量Ｌとを比較する（Ｓ２０４）。所定の発光量ＰＬは、輪郭強調画像の輪郭強調箇所の輝度が充分に得られる発光量であればよい。第１の実施例では、所定の発光量ＰＬは、図６で示した制御情報の発光量の最小値２５％と最大値１００％の中点である７５％とした。
【００２７】
輪郭領域に対応する発光部３００の制御領域の発光量Ｌが所定の発光量ＰＬよりも小さい場合（Ｓ２０４  Ｙｅｓ）、発光量補正部１２３は、当該制御領域の発光量設定値ＳＬをＰＬとする（Ｓ２０５）。また、輪郭領域に対応する発光部３００の制御領域の発光量Ｌが所定の発光量ＰＬ以上の場合（Ｓ２０４  Ｎｏ）、発光量補正部１２３は、当該制御領域の発光量設定値ＳＬをＬとする（Ｓ２０６）。
【００２８】
図７は、発光部３００の領域Ｂ１から領域Ｂ４の発光量Ｌと、発光量補正部１２３により決定された発光量設定値ＳＬとを示した模式図である。第１の実施例では、輪郭成分の検出閾値を０としたので、発光量補正部１２３は、領域Ｂ２と領域Ｂ４とを、輪郭領域と判定し、領域Ｂ１と領域Ｂ３とを、輪郭領域でないと判定する。また、領域Ｂ２の発光量Ｌは、所定の発光量ＰＬよりも小さい。したがって、発光量補正部１２３は、領域Ｂ２の発光量設定値ＳＬを、所定の発光量ＰＬとなるように補正する。一方、領域Ｂ４の発光量Ｌが所定の発光量ＰＬよりも大きいことから、領域Ｂ４の発光量設定値ＳＬは、発光量Ｌとする。
【００２９】
発光量制御部１２０は、上述のように決定された発光量設定値ＳＬを、信号補正部１３０、および発光部３００に出力する。なお、発光量制御部１２０は、発光部３００をパルス幅変調（ＰＷＭ：Ｐｕｌｓｅ  Ｗｉｄｔｈ  Ｍｏｄｕｌａｔｉｏｎ）することで、発光部３００の発光量を制御してもよい。その場合、発光量設定値ＳＬは、パルス幅変調のデューティ比（点灯期間と消灯期間の比）で表される。
【００３０】
また、発光量制御部１２０は、発光部３００の駆動電圧値または駆動電流値を設定することで、発光部３００の発光量を制御してもよい。その場合、輝度設定値ＳＬは、駆動電圧値または駆動電流値で表される。また、発光量制御部１２０は、発光部３００をパルス幅変調し、かつ発光部３００の駆動電圧値または駆動電流値を設定することで、発光部３００の発光量を制御してもよい。その場合、輝度設定値ＳＬは、パルス幅変調のデューティ比（点灯期間と消灯期間の比）と、駆動電圧値または駆動電流値とで表される。
【００３１】
信号補正部１３０は、入力画像と、発光量制御部１２０から取得した発光量設定値ＳＬとを用いて、入力画像に対する伸長処理を施す。伸長処理は、発光量設定値ＳＬが所定の発光量に対して減衰した場合に、表示輝度を補償するために画像信号の階調値を補正する処理である。
【００３２】
補正係数Ｇｐｎは、発光量設定値ＳＬを用いて発光部３００を点灯した場合のある領域の発光量Ｌｐｔと、所定の発光量を用いて発光部３００を点灯した場合の輝度Ｌｔとの比から、Ｇｐｎ＝Ｌｔ／Ｌｐｎとして求められる。信号補正部１３０は、各領域の入力画像信号に対して、各領域でもとめた補正係数Ｇｐｎを乗算し、補正画像信号を生成する。
【００３３】
図８は、領域Ｂ１から領域Ｂ４に対応する信号補正部１３０による伸長処理が施された補正画像の階調値を示した模式図である。領域Ｂ１は図３（ａ）にあるように階調値０であるため、補正画像の階調値も０となる。領域Ｂ２から領域Ｂ４の各入力画像信号は、階調値が０以上であるため、発光量設定値ＳＬに基づいて、伸長補正処理が施される。領域Ｂ３は、発光量設定値ＳＬが最も低いため、補正係数Ｇｐｎが最も大きい。また、補正係数を乗算した結果、表示部２００の入力レンジを超えている場合に、入力レンジに収まるように値を修正する。信号補正部１３０は、補正画像信号を強調処理部１４０に出力する。
【００３４】
強調処理部１４０は、補正画像と、輪郭成分取得部１１０から出力された輪郭成分とから、輪郭強調画像を生成し、輪郭強調画像を表示部２００へ出力する。図９（ａ）および図９（ｂ）は、発光部３００の領域Ｂ１から領域Ｂ４に対応する、輪郭成分を用いて決められた強調処理の補正値と、補正画像に対して補正値を加算した輪郭強調画像の階調値を示した模式図である。
【００３５】
図９（ａ）は、強調処理に用いる補正値を示している。強調処理部１４０は、輪郭成分が所定の閾値以上になる画素について、補正値を２０として決定する。またそれ以外は補正値を０とする。図９（ｂ）は、図９（ａ）で示したように決定された補正値を、補正画像に加算した輪郭強調画像の階調値を示している。例えば着色により強調して表示する場合、補正値は、入力画像の赤色の階調値に加算される。強調処理部１４０は、生成した輪郭強調画像を表示部２００に出力する。
【００３６】
なお、輪郭成分を用いた輪郭強調画像の生成方法は、上述した方法に限られない。赤色以外の着色処理を行うことや、全体の輝度を変更することも可能である。また、輪郭成分に応じて補正値を変えて、強調処理を行うことも可能である。輪郭成分を有する画素の周囲の画素に対しても、強調処理を行うことにより、輪郭にボールド処理を行い、視認性を高めることもできる。
【００３７】
図１０（ａ）は、表示部２００に表示された輪郭強調画像に対して、発光量設定値ＳＬに基づいて発光部３００から光を照射した際の表示輝度を示した模式図である。強調処理部１４０で得られた輪郭強調画像（図９（ｂ））に基づいて、表示部２００に画像が表示され、発光量制御部１２０で得られた発光量設定値ＳＬに基づいて発光部３００から表示部２００へ光が照射される。この結果、領域Ｂ２および領域Ｂ４の輪郭箇所において、強調処理が施された箇所の輝度が、強調されて表示される。輪郭成分を有する領域Ｂ２、および領域Ｂ４に対して、発光部３００の発光量が充分大きいことから、それぞれの入力画像の階調値に差があっても、輪郭箇所が好適に表示される。
【００３８】
図１０（ｂ）は、第１の実施例との比較のために、発光量制御部１２０による輪郭領域の発光量設定値ＳＬへの補正を行わない場合の表示部２００に表示された輪郭強調画像の表示輝度を示した模式図である。発光量制御部１２０で発光量の補正を行わないことにより、領域Ｂ１から領域Ｂ４のそれぞれの発光量設定値ＳＬは、入力画像から算出された発光量Ｌが採用される。したがって、本実施例においては領域Ｂ２の発光量設定値ＳＬは、領域Ｂ４の発光量設定値ＳＬよりも小さい値となる。
【００３９】
強調処理部１４０において、図９（ａ）に示すように、領域Ｂ２と領域Ｂ４とに同一の補正値が加算された場合、対応する発光量設定値ＳＬが異なることから、表示部２００上に表示される輪郭箇所の表示輝度の増分が異なる。領域Ｂ２の輪郭箇所は、領域Ｂ４の輪郭箇所に対して、表示輝度の増分が小さい。したがって、同一の強調処理が施されるべき箇所において、低階調画像側の視認性が低下することとなる。
【００４０】
なお、第１の実施例において、発光部３００が、複数の制御領域ごとに発光量を制御可能である構成について説明したが、発光部３００の制御単位は、１つでもよい。また、画像処理部１００は、輪郭強調処理を実行するか否かを選択する選択部を有し、輪郭強調処理を実行すると選択部が選択している場合に、輪郭成分の有無に依らず、発光部３００の発光量を所定の発光量ＰＬ以上とすることも可能である。この構成によれば、輪郭強調処理実行時に、動的に複雑な操作をせずとも、低階調画像においても視認性に優れた輪郭強調表示を行うことが可能となる。
【００４１】
また、所定の発光量ＰＬは、一定の値でなく、ユーザの設定によって変更されることも可能である。また、所定の発光量ＰＬは、表示環境や、撮影対象によって任意に変更されることも可能である。表示装置１周辺の外光の照度を測定し、測定された照度に応じて所定の発光量ＰＬを決定することも可能である。表示装置１周辺の外光の照度が大きいほど、反射等により強調箇所の視認性は低下する。図１１は、表示装置１周辺の外光の照度と、所定の発光量ＰＬの設定値の例を示した模式図である。表示装置１周辺の外光の照度の増加に応じて、所定の発光量ＰＬを増加させることにより、外光の影響を抑制し、視認性を向上させることが可能となる。
【００４２】
上述した通り、第１の実施例の構成によれば、入力画像の輝度特性が低い画像に対して輪郭強調処理を行った場合に、輪郭強調箇所の輝度を所定の値以上にすることが可能となる。したがって、輪郭強調箇所の視認性を向上することが可能となる。
【００４３】
（第２の実施例）
第１の実施例では、輪郭成分を含む入力画像に対応する発光部３００の各制御領域に対して、入力画像から算出された発光量Ｌと、所定の発光量ＰＬとを比較して、発光量設定値ＳＬを決定した。第２の実施例では、輪郭成分を含む場合と、含まない場合とに対して、発光量の算出方法を変えることで、輪郭強調箇所の視認性を向上させる方法について説明する。
【００４４】
図１２は、第２の実施例における発光量制御部２２０の機能ブロックを示すブロック図である。発光量制御部２２０は、表示装置１において図１の同名のブロックと同位置に配置される。発光量制御部２２０は、輝度特性取得部２２１、発光量算出部２２２、およびメモリ２２４を備える。図１３は、第２の実施例における発光量制御処理のフローを示すフローチャートである。輝度特性取得部２２１は、発光部３００の制御領域に対応する入力画像の複数の領域ごとに輝度特性ｘを取得する（Ｓ４０１）。輝度特性の取得方法は、第１の実施例と同様の方法である。
【００４５】
発光量算出部２２２は、入力された輪郭成分を用いて、入力画像の複数の領域ごとに、輪郭成分を検出する（Ｓ４０２）。輪郭成分の検出方法は、第１の実施例の発光量補正部１２３における方法と同様である。発光量算出部２２２は、輪郭成分を検出し、輪郭領域と判定された領域に対応する発光部３００の制御領域に対して、制御情報ｙ＝ｇ（ｘ）を選択する（Ｓ４０３）。また、発光量算出部２２２は、輪郭領域と判定されない領域に対応する発光部３００の制御領域に対して、制御情報ｙ（ｘ）＝ｆ（ｘ）を選択する（Ｓ４０４）。
【００４６】
図１４は、輝度特性ｘに関連付けられた発光量ｙ（ｘ）の値を示す関係図である。制御情報ｙ（ｘ）＝ｆ（ｘ）は、輝度特性ｘ＝０で発光量が２５％となり、輝度特性ｘ＝２５５で発光量が１００％となる線形の関数で定義されている。一方で、制御情報ｙ（ｘ）＝ｇ（ｘ）は、輝度特性ｘ＝２５５で発光量が１００％となり、制御情報ｙ（ｘ）＝ｆ（ｘ）と同様に輝度特性ｘの減少に伴って減少する。しかし、ｙ（ｘ）は所定の発光量ＰＬよりも小さい値にはならず、下限が制御される。従って、制御情報ｙ（ｘ）＝ｇ（ｘ）を用いて輝度特性ｘから発光量設定値ＳＬを決定する場合、発光量設定値ＳＬはＰＬ以上の値となる。
【００４７】
発光量算出部２２２は、輝度特性ｘと、輪郭成分を用いて決定された制御情報とから、発光部３００の制御領域それぞれの発光量設定値ＳＬを算出する（Ｓ４０５）。算出された発光量設定値ＳＬは、信号補正部１３０と、発光部３００とに出力される。
【００４８】
本実施例によれば、入力画像が輪郭成分を含む場合に、発光部３００の発光量が所定の発光量ＰＬ以上になるように制御される。入力画像の輝度特性が低い画像に対してエッジ強調処理を行った場合に、エッジ強調箇所の輝度を所定の値以上にすることが可能となる。したがって、フォーカス箇所の視認性を向上することが可能となる。
【００４９】
また、第１の実施例に比べて、輪郭領域に対して発光量を補正する工程を必要としないため、工程を簡略化することが可能となる。
【００５０】
（その他の実施例）
また、本発明は、以下の処理を実行することによっても実現される。上述した実施形の機能を実現するソフトウェア（プログラム）を、システム或いは装置のコンピュータで実行することが可能である。コンピュータは、ＣＰＵ（Ｃｅｎｔｒａｌ  Ｐｒｏｃｅｓｓｉｎｇ  Ｕｎｉｔ）、もしくはＭＰＵ（Ｍｉｃｒｏ  Ｐｒｏｃｅｓｓｉｎｇ  Ｕｎｉｔ）等が含まれる。また、ソフトウェアは、ネットワーク又は各種記憶媒体を介してシステムもしくは装置に供給され、上述のコンピュータが、プログラムを読み出して実行されることも可能である。この場合、そのプログラム、及び該プログラムを記憶した記憶媒体は本発明を構成することになる。
【符号の説明】
【００５１】
１００  画像処理部
１１０  輪郭成分取得部
１２０  発光量制御部
１４０  強調処理部
２００  表示部
３００  発光部
ＰＬ  発光量
【図１】
2016218146.tif 000003
【図２】
2016218146.tif 000004
【図３】
2016218146.tif 000005
【図４】
2016218146.tif 000006
【図５】
2016218146.tif 000007
【図６】
2016218146.tif 000008
【図７】
2016218146.tif 000009
【図８】
2016218146.tif 000010
【図９】
2016218146.tif 000011
【図１０】
2016218146.tif 000012
【図１１】
2016218146.tif 000013
【図１２】
2016218146.tif 000014
【図１３】
2016218146.tif 000015
【図１４】
2016218146.tif 000016